(57)【要約】【課題】従来の技術の器具では、靴を履いている際に、ほどけを防止するための器具を使用していることが一見して分かりやすく、外観を損ねてしまう。また、従来の技術のスプレーのようなものでは、携帯し忘れることもあり得る。さらに、靴ひも自体をほどけにくい構造にする従来の技術では、靴ひもを替える必要がある。  本発明は、使用時に分かりにくく、携帯し忘れることがなく、靴ひもを替える必要がない靴ひもほつれ防止バンドを提供する。【解決手段】一本以上のひもの一端に円形又は円ではない形の輪を設け、その輪にはひもを挟み込んで固定するための部位を付け、ひもの反対側の一端は棒状にしてある靴ひもほつれ防止バンド。【選択図】図１
2017189569.tif 000002
【特許請求の範囲】
【請求項１】
一本以上のひもの一端に円形又は円ではない形の輪を設け、その輪にはひもを挟み込んで固定するための部位を付け、ひもの反対側の一端は棒状にしてある靴ひもほつれ防止バンド。
【請求項２】
一本以上のひもの一端に円形又は円ではない形の輪を設け、ひもの反対側の一端は棒状にしてある請求項１の靴ひもほつれ防止バンド。
【請求項３】
一本以上のひもを大きな輪状にし、そしてその輪状のひもの一部に棒状の部位を設けた請求項１の靴ひもほつれ防止バンド
【請求項４】
一本以上のひもを大きな輪状にし、そしてその輪状のひもの一部に棒状の部位を設け、さらにその輪上のひもの一部にひもを挟み込んで固定する部位を設けた請求項１の靴ひもほつれ防止バンド
【発明の詳細な説明】
【技術分野】
【０００１】  本発明は、靴ひものほどけを防ぐひも状のバンドに関するものである。
【背景技術】
【０００２】  従来、蝶むすびでひもを結ぶことによって固定する靴ひもが付いている靴を履いていると、次第に結び目部分が緩んできてほどけてしまうことがあった。
なお、先行技術として、靴ひもの蝶結びの輪になっているひもを固定する器具がある（特許文献１参照）。また、蝶結びの結び目部分を上下で挟んで固定する器具がある（特許文献２参照）。さらには、靴ひもの摩擦力を増しほどけを防ぐためのスプレーがある（特許文献３参照）。ほかにも、靴ひも自体をほどけにくい構造にする技術がある（特許文献４参照）。
【先行技術文献】
【特許文献】
【０００３】
【特許文献１】特開２００５−８０９３１号公報
【特許文献２】特開２００２−９５５０１号公報
【特許文献３】特開２０１３−７９４６３号公報
【特許文献４】特開２００２−１３６３０５号公報
【発明の概要】
【発明が解決しようとする課題】
【０００４】  従来の技術の器具では、靴を履いている際に、ほどけを防止するための器具を使用していることが一見して分かりやすく、外観を損ねてしまう。靴は実用面のみならず履いている際の外観、つまりファッション性が重視されるものである。
また、従来の技術のスプレーのようなものでは、旅行など外出時にも使用したい場合には携帯しなくてはならず、携帯し忘れることもあり得る。
さらに、靴ひも自体をほどけにくい構造にする従来の技術では、靴ひもを替える必要がある。先述したとおり、靴は履いている際の外観が重視されるものであり、靴と靴ひものが一体となって色合いなどの調和を作るものである。靴ひもの素材や色合いが違うものになると、色合いなどの調和が損なわれてしまう場合がある。
本発明は以上の問題点を解決するためになされたものである。
【課題を解決するための手段】
【０００５】  一本以上のひもの一端に円形又は円ではない形の輪を設け、その輪にはひもを挟み込んで固定するための部位を付け、ひもの反対側の一端は棒状にしてある。
以上の構成によりなる靴ひもほつれ防止バンド。
【発明の効果】  本発明は履いている際には非常に目立たず、履いている際には本発明を使用していることが一見して分かりにくい。履いている状態では、他者から見た際の本発明の露出度は従来の技術に比べ最小限なものになっている。
また、常時靴ひもに装着してあるため、外出時に携帯し忘れることがない。
さらに、靴ひもを替える必要がないため、靴と靴ひもとの色合いなどの調和が損なわれてしまうことがない。
【図面の簡単な説明】
【０００７】
【図１】本発明の斜視図
【図２】本発明を靴ひもの結び目に巻き付けるところを示す斜視図
【図３】本発明の輪が固い素材でできている場合の正面図
【図４】本発明のひもを挟み込む部位がない場合の正面図
【図５】本発明の輪がない場合の斜視図
【発明を実施するための形態】
【０００８】  以下、本発明の実施の形態を説明する。
本発明の構成は以下のとおりである。
（ア）摩擦力の強いゴムやシリコンでできている１本以上の細いひも（１）の一端に、ゴ      ムやシリコンでできた輪（２）を設けてある。この輪（２）はある程度の柔軟性が      あるようになっている。
（イ）輪（２）のひも（１）と接合している部分には、金属や固いプラスチックでできた      、ひもを挟み込み固定する部位（３）が付いている。
このひもを挟み込み固定する部位（３）には、輪に対して垂直に立つ２本の短い棒      が、ひも（１）の直径よりもやや狭い間隔で付いている。この２本の棒の先端どう      しの間隔はやや広くなっており、ひも（１）を挟み込み易くなっている。
（ウ）アで述べたひも（１）の反対側の一端は棒状になっている。
次に、本発明の使用方法を説明する。
（カ）まず、アで述べた輪（２）を、靴のつま先から一番遠い列の靴ひも（５）に通す。
（キ）靴ひも（５）を蝶結びで結んでから、カで通した輪（２）を蝶結びの結び目に接す      るように近づける。
（ク）本発明のひも（１）を、靴ひも（５）の蝶結びの結び目の根元の部分に２周巻き付      ける。結び目を支持している靴ひも（５）に対して垂直ではなく平行に巻き付ける      のである。
こうすることで、結び目全体がきつく締められ、蝶結びの輪の部分（いわゆる羽の      部分）や飛び出している部分（いわゆる触覚の部分）の靴ひも（５）がゆるまなく      なる。
巻き付けるのは２巻きでよい。あまり多く巻くと結び目の輪の部分（いわゆる羽の      部分）と突き出している部分（いわゆる触覚の部分）が不自然に上を向いてしまい      外観を損ねてしまう。
（ケ）本発明のひも（１）を結び目の根元に巻き付けた後は、本発明のひも（１）が靴ひ      も（５）の結び目の根元にきつく巻き付くように本発明のひも（１）を強く引っ張      る。
その後、ひもを挟み込んで固定する部位（３）に、ひも（１）を引っ張った状態の      まま挟み込む。
これによりひも（１）が固定され、ひも（１）が靴ひも（５）の結び目をきつく締      めつけたままになる。
（コ）ひもを挟み込んで固定する部位（３）にひも（１）を挟んだ後、棒状の部位（４）      を、結び目を支持している靴ひも（５）の下に通す。これで、結び目に巻き付いた      余りのひも（１）が目立たなくなる。
（サ）靴ひも（５）をほどく場合、まず、棒状の部位（４）を、結び目を支持している靴      ひも（５）の下から引き出し、ひもを挟み込んで固定する部位（３）からひも（１      ）を引き抜く。その後、靴ひも（５）の結び目に巻き付いているひも（１）をほど      く。
その後、靴ひも（５）の蝶結びの結び目をほどく。
（シ）靴ひも（５）をほどいた後は、結び目を支持していた靴ひも（５）を通してある靴      ひも穴に、輪（２）を接するほど近づける。そして、棒状の部位（４）を、ほどか      れていない靴ひもの列の下に通す。こうすることで、靴を使用していない状態でも      本発明が靴に付いている状態になり、本発明を携帯し忘れることがない。
本発明については、輪（２）が柔軟性のない固い素材でできている場合がある。この場合には、ひもを挟み込んで固定する部位（３）は、輪（２）の一部となっている。輪の、ひも（１）と接合している箇所が、狭い幅の隙間をつくるように突き出ている。この場合の使用方法については、（カ）から（ク）までは同じであるが、その後は棒状の部位（４）を輪（２）に通し、強くひも（１）を引っ張る。そして、強くひも（１）を引っ張ったまま、ひも（１）を、ひもに挟み込んで固定する部位（３）に挟み込んで固定する。
また、本発明については、上記の構成とは異なり以下のような構成である場合もある。
（ス）一本以上のひも（１）の端に設けられている輪（２）に、ひもを挟み込んで固定す      る部位（３）がない。
そして、棒状の部位（４）については、先端が危なくない範囲内で尖っている。
（セ）この場合の使用方法については、上記のカからクまで同じである。
本発明のひも（１）を結び目に巻き付けた後は、本発明のひも（１）の棒状の部位      （４）を、靴ひも（５）の結び目の根元に巻き付けた本発明のひも（１）の下に差      し込み、棒状の部位（４）を前方にさらに強く引っ張る。
こうすることで棒状の部位（４）に連なっている本発明のひも（１）が、靴ひも（      ５）の結び目に巻き付いている本発明のひも（１）との摩擦力で固定される。
（ソ）その後、棒状の部位（４）を、結び目を支持している靴ひも（５）の下に通す。
これで、結び目に巻き付いた余りのひも（１）が目立たなくなる。
（タ）靴ひも（５）をほどく場合には、まず、棒状の部位（４）を結び目を支持している      靴ひも（５）の下から引き出し、棒状の部位（４）の先端を、その棒状の部位（４      ）に連なっている本発明のひも（１）が、結び目に巻き付いている本発明のひも（      １）と接している箇所に差し込む。
その後、棒状の部位（４）を前方に引っ張る。これで、棒状の部位（４）に連なる      本発明のひも（１）が、靴ひも（５）の結び目にまきついている本発明のひも（１      ）の下から引っ張り出される。
それから、靴ひも（５）の結び目に巻き付いている本発明のひも（１）をほどき、      靴ひも（５）の結び目をほどく。
本発明については、輪（２）がない場合もある。この場合は以下の構成である。
（チ）一本以上のひも（１）を大きな輪状にし、そしてその輪状のひも（１）の一部に棒      状の部位（４）を設ける。
（ツ）この場合の使用方法は次のとおりになる。
（テ）本発明の輪状のひも（１）を、靴のつま先から一番遠い列の靴ひも（５）に通す。
（ト）靴ひも（５）を結んで蝶結びの結び目を作ったら、本発明の輪状のひも（１）を蝶      結びの結び目に接するように近づける。
（ナ）その後、輪状のひも（１）を、靴ひも（５）の結び目の根元に、結び目を支持して      いる靴ひも（５）に対して垂直ではなく平行に巻き付ける。巻き付ける際には、棒      状の部位（４）を指でつまみ引っ張りながら巻き付ける。
（二）巻き付けた後は、棒状の部位（４）を、靴ひも（５）の結び目の根元に巻き付けた      本発明のひも（１）の下に差し込み、棒状の部位（３）を前方にさらに強く引っ張      る。
こうすることで棒状の部位（４）に連なっている本発明のひも（１）が、靴ひもの      結び目に巻き付いている本発明のひも（１）との摩擦力で固定される
（ヌ）輪状のひも（１）に、ひもを挟み込んで固定する部位（３）を設ける場合もある。      この場合の形態については図５に示す。
この場合には、（チ）から（ナ）まで行った後は、ひも（１）を強く引っ張ったま      ま、ひもを挟み込んで固定する部位（３）に挟み込んで固定する。
【符号の説明】
【０００９】  １  ひも、２  輪、３  ひもを挟み込んで固定する部位、４  棒状の部位、
５  靴ひも
【図１】
2017189569.tif 000003
【図２】
2017189569.tif 000004
【図３】
2017189569.tif 000005
【図４】
2017189569.tif 000006
【図５】
2017189569.tif 000007